(57)【要約】【課題】  組み立ておよび運送に便利であって仮設建物等で繰り返し使用することができ、シャッターカーテンを構成する可撓性シートの開閉折り畳みを容易かつ確実に行うことができ、しかも寒冷地や安全性の面から気密性を確保する必要がある建物に好適なシートシャッター装置を提供する。【解決手段】  シャッター本体３は、柱状ガイドレール４の上部に連結される本体ガイドレール３１と、上下平行移動自在に設けた複数の骨材６と、各骨材６間に張設された可撓性シート７と、各骨材６を昇降させて可撓性シート７を開閉させる昇降装置８とを有し、骨材６には、可撓性シート７を嵌入するための嵌入溝６２が形成されていると共に、この嵌入溝６２には複数の雌ねじ穴６３が形成されており、嵌入溝６２に可撓性シート７を嵌入した状態で正面側から断面略コの字状に形成されたシート留め具９を嵌入し、ねじにより固定する。【選択図】  図１
2005068933.tif 000002
【特許請求の範囲】
【請求項１】
可撓性シートからなるシャッターカーテンを開閉可能なシャッター本体と、このシャッター本体を支持するために建物開口部の両側に立設される１対の柱状ガイドレールとから構成されるシートシャッター装置であって、
前記シャッター本体は、前記柱状ガイドレールの上部に連結される本体ガイドレールと、前記柱状ガイドレール間および前記本体ガイドレール間にわたって上下平行移動自在に設けた複数の骨材と、これらの骨材間に張設された可撓性シートと、これら各骨材を昇降させることにより前記可撓性シートを開閉させる昇降装置とを有しており、
前記骨材の正面部には、前記可撓性シートを嵌め入れるための嵌入溝が長手方向にわたって形成されていると共に、この嵌入溝には複数の雌ねじ穴が長手方向に所定間隔を隔てて形成されており、前記嵌入溝に可撓性シートを嵌め入れた状態で正面側から断面略コの字状に形成されていると共に前記雌ねじ穴に対応する位置に挿通孔が形成されたシート留め具を嵌入し、ねじにより固定することを特徴とするシートシャッター装置。
【請求項２】
請求項１において、前記骨材の背面側にも嵌入溝を形成し、前記シート留め具によって可撓性シートを取り付けるようにしたことを特徴とするシートシャッター装置。
【請求項３】
請求項１または請求項２において、昇降装置はモータに連結された回動軸に強化樹脂テープが巻回されており、この強化樹脂テープの下端部を各骨材のうちの最下端に配置された骨材に連結すると共に、強化樹脂テープ内にシャッターカーテンの上限位置および下限位置を検出させるための金属片が取り付けられ、この金属片を検知する金属探知センサをシャッター本体に配置したことを特徴とするシートシャッター装置。
【発明の詳細な説明】
【技術分野】
【０００１】
本発明は、可撓性シートによってシャッターカーテンを構成したシートシャッター装置に関し、特に、持ち運びが便利であり、仮設建物等で繰り返し設置使用するのに好適なシートシャッター装置に関するものである。
【背景技術】
【０００２】
従来より、複数の骨材に可撓性シートを張設したシャッターカーテンを、開口部の両側に立設したガイドレールに沿って上下動させるシートシャッター装置が知られている。このシートシャッター装置は、骨材間に張設したシートの上下方向の動きによって開閉するので占有スペースが小さくてすみ、しかも金属製シャッターに比べて速い速度で開閉させられることから主に工場や倉庫等で用いられている。
【０００３】
このようなシートシャッター装置として、例えば、実公平８−７０３３号公報に記載のものが知られている（特許文献１）。この考案は、シャッターカーテンの下端両側部に各骨材を重合状に抱持するための受台を設け、この受台をガイドレール内に位置させている。そして、受台を上下動させることで各骨材を出し入れしてシャッターカーテンを開閉させられるとともに、各骨材がガイドレールと擦れて摩耗するのを防止できるとされる。
【０００４】
【特許文献１】実公平８−７０３３号公報
【発明の開示】
【発明が解決しようとする課題】
【０００５】
しかしながら、実公平８−７０３３号公報に記載された発明においては、組み立て性を考慮していないため、受台やこれを支持する支持台、およびこの支持台に固定された案内ローラ等、多くの部品から構成されて重量が重く、リース製品等として繰り返し運送されて使用するには不向きである。また、シャッターカーテンを構成する可撓性シートの折り畳み方向性が特に規定されていないため、正面側や背面側に重合される場合があり、開閉時にトラブルが発生しやすいという問題がある。
【０００６】
本発明は、このような問題点を解決するためになされたものであって、組み立ておよび運送に便利であって仮設建物等で繰り返し使用することができ、シャッターカーテンを構成する可撓性シートの開閉折り畳みを容易かつ確実に行うことができ、しかも寒冷地や安全性の面から気密性を確保する必要がある建物に好適なシートシャッター装置を提供することを目的としている。
【課題を解決するための手段】
【０００７】
本発明に係るシートシャッター装置の特徴は、可撓性シートからなるシャッターカーテンを開閉可能なシャッター本体と、このシャッター本体を支持するために建物開口部の両側に立設される１対の柱状ガイドレールとから構成されるシートシャッター装置であって、前記シャッター本体は、前記柱状ガイドレールの上部に連結される本体ガイドレールと、前記柱状ガイドレール間および前記本体ガイドレール間にわたって上下平行移動自在に設けた複数の骨材と、これらの骨材間に張設された可撓性シートと、これら各骨材を昇降させることにより前記可撓性シートを開閉させる昇降装置とを有しており、前記骨材の正面部には、前記可撓性シートを嵌め入れるための嵌入溝が長手方向にわたって形成されていると共に、この嵌入溝には複数の雌ねじ穴が長手方向に所定間隔を隔てて形成されており、前記嵌入溝に可撓性シートを嵌め入れた状態で正面側から断面略コの字状に形成されていると共に前記雌ねじ穴に対応する位置に挿通孔が形成されたシート留め具を嵌入し、ねじにより固定する点にある。
【０００８】
また、本発明において、前記骨材の背面側にも嵌入溝を形成し、前記シート留め具によって可撓性シートを取り付けることが好ましい。
【０００９】
さらに、本発明において、昇降装置はモータに連結された回動軸に強化樹脂テープが巻回されており、この強化樹脂テープの下端部を各骨材のうちの最下端に配置された骨材に連結すると共に、強化樹脂テープ内にシャッターカーテンの上限位置および下限位置を検出させるための金属片が取り付けられ、この金属片を検知する金属探知センサをシャッター本体に配置することが好ましい。
【発明の効果】
【００１０】
本発明によれば、組み立てが簡単で、かつ運送にも便利で壊れにくいため仮設建物等で繰り返し使用することができる。また、可撓性シートの折り畳みの方向性が規則的に整えられるため、シャッターカーテンを開閉する場合の開閉動作のトラブルが発生しにくい。しかも気密性を高くすることもできるため寒冷地での使用に好適であり、また外部に有害物質を漏らするの防止することができる。
【発明を実施するための最良の形態】
【００１１】
以下、本発明に係るシートシャッター装置の好適な一実施形態について図面を用いて説明する。
【００１２】
図１に示すように、本実施形態のシートシャッター装置１は、主として、シャッターカーテン２を開閉自在に備えたシャッター本体３と、このシャッター本体３を支持する柱状ガイドレール４，４とから構成されている。この柱状ガイドレール４，４は、建物開口部の両側に立設されるものであり、上端部にはシャッター本体３が連結され、下端部には立設状態を安定させるための平板状の安定板４１，４１が取り付けられている。これら柱状ガイドレール４，４の対峙する内側面には、上下端にわたってガイド突起５が形成されている。
【００１３】
図１および図２に示すように、シャッター本体３は、柱状ガイドレール４，４の上端部に連結される本体ガイドレール３１，３１を有している。この本体ガイドレール３１，３１にも内側面にガイド突起５が形成されており、柱状ガイドレール４，４と連結されることで一連の案内機構が完成される。また、柱状ガイドレール４，４および本体ガイドレール３１，３１の対向間には、複数の骨材６がその両端部をガイド突起５に遊嵌させて上下平行移動自在に設けられている。これらの骨材６間には、可撓性シート７が張設されている。さらに、シャッター本体３には、各骨材６を昇降させることにより前記可撓性シート７を開閉させる昇降装置８が配置されている。
【００１４】
前記各骨材６と可撓性シート７とによってシャッターカーテン２が構成されている。骨材６はその両端にガイド溝６１が形成されており、柱状ガイドレール４，４および本体ガイドレール３１，３１の各ガイド突起５に遊嵌されるようになっている。また、図３に示すように、骨材６の正面部には、可撓性シート７を嵌め入れるための嵌入溝６２が両端部にわたって長手方向に沿って形成されている。この嵌入溝６２は奥側に行くほど上下に広く開口されており、可撓性シート７が挿入しやすくなっている。また、この嵌入溝６２には、複数の雌ねじ穴６３が長手方向に所定間隔を隔てて形成されている。そして、この嵌入溝６２に可撓性シート７を嵌め入れた状態で正面側から断面略コの字状に形成され、嵌入溝６２の雌ねじ穴６３に対応する位置に挿通孔９１が形成されたシート留め具９を嵌入し、通常のねじにより固定されている。このような構成をもって可撓性シート７を留めることにより、図２に示すように、可撓性シート７を折り畳む場合に骨材６間の可撓性シート７がすべて正面側に垂れ下げて収容できる。つまり、正面側だけに強制的に重合方向を定めることになる。
【００１５】
また、図３に示すように、本実施形態では前記骨材６の背面側にも正面側と同様の嵌入溝６２を形成し、所定間隔を隔てて雌ねじ穴６３を形成している。つまり、正面側と背面側とを等しい形状に形成している。これは、図４に示すように、骨材６の背面側にも可撓性シート７を設けることにより、正面側と背面側との間に空気層を形成するためである。この空気層は建物内部の気密性を高められるため、寒冷地における温度確保に好適であるし、有害物質を外部に漏らさない場合にも好適である。もちろん背面側の可撓性シート７は背面側に重合して折り畳まれる。
【００１６】
また、図５に示すように、本実施形態の昇降装置８は、シャッターカーテン２を開閉するための駆動源としてモータ８１を備えており、このモータ８１の回転軸８１ａには２つの巻取プーリ８２，８２が連結軸８３や軸受８４によって連結されている。各巻取プーリ８２，８２には、強化樹脂テープ８５，８５が巻回可能に接続されている。この強化樹脂テープ８５，８５の下端部は最下段に配置された骨材６に連結されている。また、強化樹脂テープ８５，８５の上端近傍や下端近傍にはシャッターカーテン２の上限位置および下限位置を検出させるための図示しない金属片が内蔵されており、この金属片を検知する図示しない金属探知センサがシャッター本体３に配置されている。なお、前記モータ８１は図示しない制御板の制御を介してリモートコントローラにより昇降動作が制御されるようになっている。
【００１７】
以上のような構成からなる本実施形態のシートシャッター装置１を実際に使用する場合、まず、１対の柱状ガイドレール４，４を建物開口部の幅に合わせて地面に横にして置き、シャッター本体３も柱状ガイドレール４，４の上端側に本体ガイドレール３１，３１が合わさるように置く。この状態で柱状ガイドレール４，４に本体ガイドレール３１，３１を強固に連結する。この連結後、クレーン等によりシャッター本体３を吊り上げて建物開口部の所定位置に柱状ガイドレール４，４を立設し、安定板４１，４１を地面または建物の基台に固定すれば、シートシャッター装置１の配置が完了する。
【００１８】
つづいて、シャッターカーテン２を閉める場合、昇降装置８のモータ８１を駆動させて巻取プーリ８２，８２により強化樹脂テープ８５，８５を送り出す。これにより、最下段部の骨材６がシャッター本体３内から降り始め、これに伴って可撓性シート７が自重によって展張される。一方、シャッターカーテン２を開ける場合、昇降装置８のモータ８１を駆動させて巻取プーリ８２，８２により強化樹脂テープ８５，８５を巻き取る。これにより、最下段部の骨材６が上位にある骨材６を順次重ねて持ち上げ、これに伴って可撓性シート７が正面側に重合するように垂れ下がる。なお、背面側にも可撓性シート７が設けられている場合には、この可撓性シート７は背面側に重畳的に垂れ下がる。
【００１９】
以上のような本実施形態によれば、シャッター本体３と柱状ガイドレール４，４が分割されているため、持ち運びに便利であり、組み立ても簡単であるから仮設建物等の開口部に設置するのに好適である。また、シャッターカーテン２の構造は壊れにくい構造であるから繰り返しに使用にも耐えられる。さらにシャッターカーテン２を開閉する場合、可撓性シート７の折り畳みの方向性が整えられているため、開閉動作のトラブルが発生しにくい。しかも正面側と背面側に２つの可撓性シート７を取り付けられるから気密性を高めることができ、寒冷地や気密性が要求される建物において威力を発揮する。
【００２０】
なお、本発明に係るシートシャッター装置１は、前述した実施例に限定されるものではなく、適宜変更することができる。例えば、本実施形態では、昇降装置８として強化樹脂テープ８５，８５を巻取プーリ８２，８２により巻き取る構成になっているが、これを一般的な巻取ウインチのワイヤを複数の滑車を介して最下段の骨材６に取り付け、このワイヤによって昇降させるようにしてもよい。
【００２１】
また、柱状ガイドレール４，４のガイド突起５に換えて、ガイド溝を形成し、骨材６の両端部にガイド突起を設けて前記ガイド溝内を上下に案内されるようにしてもよい。
【図面の簡単な説明】
【００２２】
【図１】本発明に係るシートシャッター装置の実施形態を示す正面側斜視図である。
【図２】本実施形態を示す背面側斜視図である。
【図３】本実施形態におけるシャッターカーテンを示す模式図である。
【図４】本実施形態におけるシャッターカーテンの他の実施例を示す模式図である。
【図５】本実施形態における昇降装置を示す模式図である。
【符号の説明】
【００２３】
１  シートシャッター装置
２  シャッターカーテン
３  シャッター本体
４  柱状ガイドレール
５  ガイド突起
６  骨材
７  可撓性シート
８  昇降装置
９  シート留め具
３１  本体ガイドレール
４１  安定板
６１  ガイド溝
６２  嵌入溝
６３  雌ねじ穴
８１  モータ
８１ａ  回転軸
８２  巻取プーリ
８３  連結軸
８４  軸受
８５  強化樹脂テープ
９１  挿通孔
【図１】
2005068933.tif 000003
【図２】
2005068933.tif 000004
【図３】
2005068933.tif 000005
【図４】
2005068933.tif 000006
【図５】
2005068933.tif 000007